(57)【特許請求の範囲】
【請求項１】
ロータに挿入されるキープレートの挿入方向に直交する面内に主移動方向を有し、挿入されたキープレートのコード形成部に対応して主移動方向に移動してロータ内の所定位置まで移動するキー対応タンブラと、
前記キー対応タンブラに主移動方向の適宜位置で噛合嵌合可能なロックタンブラと、
前記主移動方向に交差する方向に移動してシリンダケース側のロック用凹部に進退し、ロックタンブラの主移動方向上の位置によりロック用凹部への侵入位置からの退避が禁止、または許可されてロータの回転境界面を閉塞、開放するロック体と、
ロックタンブラとキー対応タンブラとを噛合解除不能状態に維持するコード設定体と、
キープレートに形成された識別部を検知可能な検知部とを有し、
キープレートを挿入した際に、ロック体のロータ内への退避を許可するロックタンブラの主移動方向上の位置を保持してコード設定体を作動させて挿入キープレートのキー側解錠コードに合致する錠側解錠コードを形成可能で、かつ、前記検知部において識別部が検知された際に錠側解錠コード形成動作が開始されるシリンダ錠であって、
前記コード設定体は、キープレートの挿入方向に移動可能で、かつ、移動方向上にいずれかのタンブラの噛合解除方向への移動を禁止して噛合解除を禁止する噛合解除禁止位置と、ロックタンブラとキー対応タンブラとの噛合解除を許可する噛合解除許可位置とを有し、
コード設定体を噛合解除禁止位置側に付勢する作動スプリングと、
コード設定体を噛合解除許可位置に係止、維持するストッパとを有し、
該ストッパを解除して前記作動スプリングの復元力により初期状態において噛合解除許可位置に保持されるコード設定体を噛合解除禁止位置側に移動させて錠側解錠コードを形成するシリンダ錠。
【請求項２】
ロータに挿入されるキープレートの挿入方向に直交する面内に主移動方向を有し、挿入されたキープレートのコード形成部に対応して主移動方向に移動してロータ内の所定位置まで移動するキー対応タンブラと、
前記キー対応タンブラに主移動方向の適宜位置で噛合嵌合可能なロックタンブラと、
前記主移動方向に交差する方向に移動してシリンダケース側のロック用凹部に進退し、ロックタンブラの主移動方向上の位置によりロック用凹部への侵入位置からの退避が禁止、または許可されてロータの回転境界面を閉塞、開放し、かつ、ロック用凹部からの退避位置においてロックタンブラの主移動方向への移動を規制するロック体と、
ロックタンブラとキー対応タンブラとの噛合を維持する噛合位置と噛合解除可能な噛合解除位置との間を前記主移動方向に交差する方向に移動可能なタンブラ保持ブロックと、
キープレートに形成された識別部を検知した際にロック体のロック用凹部への移動を許容するとともに、タンブラ保持ブロックの噛合位置から噛合解除位置への移動を規制する位置まで移動するコード設定体とを有し、
ロータに挿入される識別部を備えたキープレートにより該挿入キープレートのキー側解錠コードに合致する錠側解錠コードを形成するシリンダ錠。
【請求項３】
ロータに挿入されるキープレートの挿入方向に直交する面内に主移動方向を有し、挿入されたキープレートのコード形成部に対応して主移動方向に移動してロータ内の所定位置まで移動するキー対応タンブラと、
前記キー対応タンブラに主移動方向の適宜位置で噛合嵌合可能なロックタンブラと、
前記主移動方向に交差する方向に移動してシリンダケース側のロック用凹部に進退し、ロックタンブラの主移動方向上の位置によりロック用凹部への侵入位置からの退避が禁止、または許可されるロック体とを有し、
前記キー対応タンブラはロータ内に配置されるタンブラスプリングにより主移動方向に付勢されるとともに、
ロックタンブラはロック体によりキー対応タンブラとの噛合方向に押動されて該キー対応タンブラと主移動方向への噛合位置可変に噛合し、
キープレートを挿入した際に、ロック体のロータ内への退避を許可するロックタンブラの主移動方向上の位置を保持してロックタンブラの噛合解除方向への移動を禁止してロックタンブラとキー対応タンブラとを噛合解除不能に噛合させて挿入キープレートのキー側解錠コードに合致する錠側解錠コードを形成可能なシリンダ錠であって、
キープレートの挿入方向に移動可能で、かつ、移動方向上にいずれかのタンブラの噛合解除方向への移動を禁止して噛合解除を禁止する噛合解除禁止位置と、ロックタンブラとキー対応タンブラとの噛合解除を許可する噛合解除許可位置とを有するコード設定体と、
コード設定体を噛合解除禁止位置側に付勢する作動スプリングと、
コード設定体を噛合解除許可位置に係止、維持するストッパとを有し、
該ストッパを解除して前記作動スプリングの復元力により初期状態において噛合解除許可位置に保持されるコード設定体を噛合解除禁止位置側に移動させて錠側解錠コードを形成するシリンダ錠。
【請求項４】
前記ストッパはロータからの飛び出し方向に付勢されて主移動方向に移動自在にロータ内に収容され、
キープレートの挿入によりロータ内に退避してコード設定体との係止が解除される請求項１または３記載のシリンダ錠。
【請求項５】
前記ストッパはロータからの飛び出し方向に付勢されて主移動方向に移動自在にロータ内に収容されるとともに、キープレートの挿入によりロータ内方に移動可能であり、
キープレート挿入後、ロータを所定角度回転させた後にコード設定体との係止が解除される請求項１または３記載のシリンダ錠。
【請求項６】
前記ストッパは、キープレートに形成された識別部により作動する請求項１、３、４、５のいずれかに記載のシリンダ錠。
【発明の詳細な説明】
【０００１】
【発明の属する技術分野】
本発明はシリンダ錠に関するものである。
【０００２】
【従来の技術】
従来、例えば自動車の施錠装置は自動車の施錠個所に対応した複数のシリンダ錠と、各シリンダ錠を解錠可能なキープレートから構成される。シリンダ錠はケースと、ケース内で回転可能なロータから構成され、ロータにはディスクタンブラ、あるいはピンタンブラ等が配置されて錠側解錠コードが形成される。
【０００３】
これらシリンダ錠を解錠するためのキープレートにはコード形成部によりキー側解錠コードが設定されており、ロータにキープレートを挿入した状態でタンブラはコード形成部により一義的に決定されるロータ内の所定の位置を占有する。ロータ内でのタンブラの位置と、ロータの回転許可、禁止状態は適宜の機構で関連付けられており、錠側解錠コードに合致する解錠コードを有するキープレートが挿入された場合にのみロータを回転操作することができる。
【０００４】
しかし、上述した従来例には以下の欠点がある。すなわち、シリンダ錠の錠側解錠コードはタンブラの種類、およびその配列によりシリンダ錠の組み立て時に予め決定されるものであるから、車両ごとに同一キープレートを使用して複数の施錠個所、例えばドア、トランク、ステアリングに配置されたシリンダ錠への施解錠操作を可能にしようとすると、予め同一の解錠コードを有するようにタンブラを組み込んだ複数種のシリンダ錠をキープレートとともにセット管理する必要がある。セット管理から外れたシリンダ錠を自動車に組み付けてしまうと、当該シリンダ錠による施錠個所へのアクセスが不可能になってしまう。
【０００５】
一方、自動車は流れ作業により組み立てられるが、上記シリンダ錠は各々解錠コードという特性を有しているために、部品欠品、あるいは故障に際しては相互の交換が不可能なうえに、常にセットとして扱う必要が生じるために、自動車の組み立て作業性も低下する。
【０００６】
また、上述した自動車の製造ラインや、あるいは建築中の扉錠等においては、不特定の作業者が錠を開放して車内、あるいは家屋内に立ち入れるようにするのが作業効率の向上にとって有効であるが、車両のドア、あるいは家屋の扉にシリンダ錠を装着した後、誤って施錠してしまうと、真正キーの所有者しか車両内、あるいは家屋内に入ることができなくなるために、作業性を著しく低下させることとなる。
【０００７】
【発明が解決しようとする課題】
本発明は、以上の欠点を解消すべくなされたものであって、解錠コードの設定をシリンダ錠組み立て完了後の好みの時に容易に行うことができるようにして自動車の組み立て作業性等の向上が図れるシリンダ錠の提供を目的とする。
【０００８】
【課題を解決するための手段】
本発明によれば上記目的は、
ロータ３に挿入されるキープレート１の挿入方向に直交する面内に主移動方向（ＤＭ）を有し、挿入されたキープレート１のコード形成部１ａに対応して主移動方向（ＤＭ）に移動してロータ３内の所定位置まで移動するキー対応タンブラ１５と、
前記キー対応タンブラ１５に主移動方向（ＤＭ）の適宜位置で噛合嵌合可能なロックタンブラ１４と、
前記主移動方向（ＤＭ）に交差する方向に移動してシリンダケース４側のロック用凹部２５に進退し、ロックタンブラ１４の主移動方向（ＤＭ）上の位置によりロック用凹部２５への侵入位置からの退避が禁止、または許可されてロータ３の回転境界面を閉塞、開放するロック体１７と、
ロックタンブラ１４とキー対応タンブラ１５とを噛合解除不能状態に維持するコード設定体２１と、
キープレート１に形成された識別部５を検知可能な検知部２０とを有し、
キープレート１を挿入した際に、ロック体１７のロータ３内への退避を許可するロックタンブラ１４の主移動方向（ＤＭ）上の位置を保持してコード設定体２１を作動させて挿入キープレート１のキー側解錠コードに合致する錠側解錠コードを形成可能で、かつ、前記検知部２０において識別部５が検知された際に錠側解錠コード形成動作が開始されるシリンダ錠であって、
前記コード設定体２１は、キープレート１の挿入方向に移動可能で、かつ、移動方向上にいずれかのタンブラ２の噛合解除方向への移動を禁止して噛合解除を禁止する噛合解除禁止位置と、ロックタンブラ１４とキー対応タンブラ１５との噛合解除を許可する噛合解除許可位置とを有し、
コード設定体２１を噛合解除禁止位置側に付勢する作動スプリング２２と、
コード設定体２１を噛合解除許可位置に係止、維持するストッパ２３とを有し、
該ストッパ２３を解除して前記作動スプリング２２の復元力により初期状態において噛合解除許可位置に保持されるコード設定体２１を噛合解除禁止位置側に移動させて錠側解錠コードを形成するシリンダ錠を提供することにより達成される。
【０００９】
ロータ３に装着されるタンブラ２は、キープレート１毎に設定された解錠コードに対して１対１対応する錠側解錠コードを形成し、錠側解錠コードが形成された状態で、該錠側解錠コードに合致する解錠コードを有するキープレート１での回転操作を許容する。このタンブラ２は、解錠コード形成前の状態を維持することが可能であり、識別部５を有するキープレート１のロータ３への挿入操作をトリガとして錠側解錠コードが形成（解錠コード設定）が可能な状態に遷移する。解錠コード設定前においてロータ３は識別部５を備えたキープレート１に対して１対１対応していなければ足り、例えば、全てのキープレート１による回転操作が可能であっても、あるいは特定の解錠コードを備えたキープレート１に対して１対１対応し、該キープレート１による回転操作のみが可能なものであってもよく、さらには、例えば図３（ｃ）に示すように、コード形成部１ａが一直線状で、実質的に解錠コードを構成するとはいえない解錠コードが付与されたキープレート１に合致するものであってもよい。キープレート１のコード形成部１ａは、キープレート１の外周切断端面に形成することも、あるいは側面に形成することもでき、タンブラ２はピン状のいわゆるピンタンブラであっても、板状のディスクタンブラであってもよい。
【００１０】
解錠コード形成前の状態で識別部５を備えたキープレート１を挿入すると、タンブラ２は識別部５に応動して解錠コードが形成可能な状態となり、直ちに、あるいはその後の必要な操作を経てタンブラ２はキープレート１のコード形成部１ａを倣って挿入されたキープレート１の解錠コードに合致する錠側解錠コードを形成する。錠側解錠コードが設定された後では、該キープレート１に形成されている解錠コードを有するキープレート１でのみ回転操作が可能になるために、例えば、以後、錠側解錠コードを設定する際に使用したキープレート１を解錠用キープレートとしてそのまま使用することができる。
【００１１】
挿入されたキープレート１に形成されたコード形成部１ａを倣ってコード形成部１ａにより構成されるキー側解錠コードに合致する錠側解錠コードを形成するためには、例えば、
ロータ３に挿入されるキープレート１の挿入方向に直交する面内に主移動方向（ＤＭ）を有し、挿入されたキープレート１のコード形成部１ａに対応して主移動方向（ＤＭ）に移動してロータ３内の所定位置まで移動するキー対応タンブラ１５と、
前記キー対応タンブラ１５に主移動方向（ＤＭ）の適宜位置で噛合嵌合可能なロックタンブラ１４と、
前記主移動方向（ＤＭ）に交差する方向に移動してシリンダケース４側のロック用凹部２５に進退し、ロックタンブラ１４の主移動方向（ＤＭ）上の位置によりロック用凹部２５への侵入位置からの退避が禁止、または許可されるロック体１７と、
ロックタンブラ１４とキー対応タンブラ１５とを噛合解除不能状態に維持するコード設定体２１とを有し、
キープレート１を挿入した際に、ロック体１７のロータ３内への退避を許可するロックタンブラ１４の主移動方向（ＤＭ）上の位置を保持してコード設定体２１を作動させることにより達成できる。
【００１２】
したがってこの発明において、錠側解錠コードの設定時期をシリンダ錠の組み立て作業完了後にずらすことができるために、以下の効果を発揮できる。まず、シリンダ錠の製造時に複数種のタンブラから錠側解錠コードを形成するために必要なタンブラを選択して所定の配列で配置する必要がなくなる。この結果、同一のシリンダ錠を製造すれば足りるために、シリンダ錠の製造効率が向上する。また、錠側解錠コードを設定するまでは、各シリンダ錠は解錠コードという個性を有しないために、特定の解錠コードを有するキープレート１とセット管理する必要がなくなり、管理工数が減少する。さらに、錠側解錠コードの設定は、キープレート１を挿入するだけで可能になるために、設定操作が簡単で使い勝手が高い。加えて、ロータ３の回転許可、禁止、および解錠コードの設定はキープレート１とタンブラ２との機械的作動により決定されるために、電子的認証、設定手段に比して、誤動作のおそれがなく、信頼性が高くなる。
【００１３】
また、シリンダ錠は、
挿入されたキープレート１に形成されたコード形成部１ａを倣って該コード形成部１ａにより構成されるキー側解錠コードに合致する錠側解錠コードを形成可能なタンブラ２を装着したロータ３をシリンダケース４に回転自在に挿入してなり、
前記ロータ３は錠側解錠コード形成前においてシリンダケース４に対して空転自在に構成することができる。
【００１４】
本発明において、タンブラ２が錠側解錠コードを形成するまでは、キープレート１のコード形成部１ａに対して１対１対応していないために、例えば自動車用施錠装置等として利用する場合には、セット管理の必要がなく、管理工数が低減できる。また、シリンダ錠製造時も、従来のように、異なった種類のタンブラを予め決定された順序でロータ内に配置する必要がないために、製造効率も向上する。
【００１５】
さらに、錠側解錠コード設定前において、全てのキープレート１によりロータ３を回転させることができるために、誤って施錠状態に移行させても、任意のキープレート１、あるいはキープレート状の平板を使用して解錠位置までロータ３を回転させることができるために、自動車の製造ラインにおける作業性が向上する。
【００１６】
加えて、錠側解錠コード設定前でのロータ３の回転が許容されることから、例えば、建築中の家屋に使用した場合には、ロータ３を施錠状態に移行させておけば、扉を操作しただけでは扉の開放はできないために、防犯性も向上させることができる。
【００１７】
また、前記タンブラ２はロータ３の回転に応動して錠側解錠コードを形成するシリンダ錠を構成することができる。錠側解錠コードの形成（設定）は、識別部５を備えたキープレート１を挿入した後、ロータ３を回転させることにより行われ、ロータ３への回転操作が錠側解錠コードの設定に必要なために、誤ってキープレート１を挿入しただけで錠側解錠コードが設定されることがなくなる。
【００１８】
また、識別部５を備えないキープレート１によって錠側解錠コードの形成をすることも可能であり、錠側解錠コードの設定は、解錠コード形成用のキープレート１をロータ３に挿入した後、該キープレート１によりロータ３を回転させることにより行われる。この場合、シリンダ錠は、最初に挿入されて回転操作が加えられたキープレート１を錠側解錠コード設定用のキープレート１と認識して錠側解錠コードを形成する。
【００１９】
さらに、前記タンブラ２が解錠コード形成状態から形成前の状態に復帰操作可能なシリンダ錠を構成した場合には、一旦設定した錠側解錠コードを新たなキープレート１の解錠コードに設定し直すことが可能となるために、例えば、キープレート１を紛失した場合にも錠側解錠コードの再設定をするだけで、交換の必要がない。
【００２９】
さらに、キー対応タンブラ１５に付勢力を与えたシリンダ錠は、
ロータ３に挿入されるキープレート１の挿入方向に直交する面内に主移動方向（ＤＭ）を有し、挿入されたキープレート１のコード形成部１ａに対応して主移動方向（ＤＭ）に移動してロータ３内の所定位置まで移動するキー対応タンブラ１５と、
前記キー対応タンブラ１５に主移動方向（ＤＭ）の適宜位置で噛合嵌合可能なロックタンブラ１４と、
前記主移動方向（ＤＭ）に交差する方向に移動してシリンダケース４側のロック用凹部２５に進退し、ロックタンブラ１４の主移動方向（ＤＭ）上の位置によりロック用凹部２５への侵入位置からの退避が禁止、または許可されるロック体１７とを有し、
前記キー対応タンブラ１５はロータ３内に配置されるタンブラスプリング２７により主移動方向に付勢されるとともに、
ロックタンブラ１４はロック体１７によりキー対応タンブラ１５との噛合方向に押動されて該キー対応タンブラ１５と主移動方向への噛合位置可変に噛合し、
キープレート１を挿入した際に、ロック体１７のロータ３内への退避を許可するロックタンブラ１４の主移動方向（ＤＭ）上の位置を保持してロックタンブラ１４の噛合解除方向への移動を禁止してロックタンブラ１４とキー対応タンブラ１５とを噛合解除不能に噛合させて挿入キープレート１のキー側解錠コードに合致する錠側解錠コードを形成可能なシリンダ錠であって、
キープレート１の挿入方向に移動可能で、かつ、移動方向上にいずれかのタンブラ２の噛合解除方向への移動を禁止して噛合解除を禁止する噛合解除禁止位置と、ロックタンブラ１４とキー対応タンブラ１５との噛合解除を許可する噛合解除許可位置とを有するコード設定体２１と、
コード設定体２１を噛合解除禁止位置側に付勢する作動スプリング２２と、
コード設定体を噛合解除許可位置側に係止、維持するストッパ２３とを有し、
該ストッパ２３を解除して前記作動スプリング２２の復元力により初期状態において噛合解除許可位置に保持されるコード設定体２１を噛合解除禁止位置に移動させて錠側解錠コードを形成するシリンダ錠としても構成することができる。
【００３０】
この発明において、キー対応タンブラ１５とロックタンブラ１４とは初期状態で既に噛合状態にあり、初期状態でロックタンブラ１４の噛合解除方向への移動を許容し、ロックタンブラ１４の噛合解除方向への移動を禁止することにより錠側解錠コードが設定される。
【００３１】
すなわち、キー対応タンブラ１５はロータ３にガイドされて主移動方向（ＤＭ）に移動自在とされるとともに、主移動方向（ＤＭ）に付勢されて上述したキープレート１の使用を可能にする。ロックタンブラ１４はロック体１７により押動されてキー対応タンブラ１５との噛合状態を維持し、主移動方向（ＤＭ）の所定位置に保持される。初期状態においてロックタンブラ１４は噛合解除方向に移動することができ、キープレート１を挿入すると、ロックタンブラ１４は噛合解除方向に移動し、キー対応タンブラ１５との噛合位置を変更しながら初期位置に保持される。この後、錠側解錠コードを設定すると、ロックタンブラ１４は噛合解除方向への移動が禁止され、以降、非真正キーに対しては、ロック体１７のロータ３内への移動を禁止することによりロータ３の回転境界面を閉塞する。
【００３２】
したがってこの発明において、ロックタンブラ１４、ロック体１７、およびロックタンブラ１４の噛合解除方向への移動を規制する例えばコード設定体２１等を接近した位置に配置することができる。可動部を接近配置することにより、相互の寸法関係を正確に設定することが可能になり、作動信頼性を向上させることができる上に、製造効率も向上する。
【００３３】
以上の発明において、錠側解錠コードの形成操作をキープレート１の挿入方向にコード設定体２１を移動させることにより行うことができる。錠側解錠コードの形成を、ロックタンブラ１４、あるいはキー対応タンブラ１５のいずれか一方の噛合解除側への移動を阻止することにより行うことができる以上の発明においては、移動側のタンブラ２の噛合解除方向への移動の阻止、あるいは許可は、例えば、コード設定体２１の移動位置と、上記移動側のタンブラ２の退出路の閉塞、開放とを対応させることにより簡単に実現することできる。この結果、構造が簡単で、故障の発生もなくなって信頼性が向上する。さらに、コード設定体２１はキープレート１の挿入方向、すなわち、シリンダケース４の長手方向に移動するように構成することにより、シリンダケース４の長手方向寸法をコード設定体２１の移動スペースとして利用することができるために、シリンダ錠を小型化することができる。
【００３４】
この場合、コード設定体２１は手動により直接操作することも可能であるが、
コード設定体２１を噛合解除禁止位置側に付勢する作動スプリング２２と、
コード設定体２１を噛合解除許可位置に係止、維持するストッパ２３とを有し、
該ストッパ２３を解除して前記作動スプリング２２の復元力によりコード設定体２１を噛合解除禁止位置側に移動させるように構成すると、ストッパ２３の解除操作だけで自動的に錠側解錠コードの形成が行われるために、操作性が極めて良好になる。
【００３５】
ストッパ２３の操作は例えば、シリンダケース４からストッパ２３先端を露出させておき、手動によりこれを押し下げ、あるいは引き上げることにより行うことができるが、
ストッパ２３は、上記ストッパ２３はロータ３からの飛び出し方向に付勢されて主移動方向（ＤＭ）に移動自在にロータ３内に収容され、
キープレート１の挿入によりロータ３内に退避してコード設定体２１との係止が解除されるように構成すると、キープレート１の挿入操作だけで自動的に錠側解錠コードが形成されるために、より操作性が向上する。
【００３６】
この場合、前記ストッパ２３はロータ３からの飛び出し方向に付勢されて主移動方向（ＤＭ）に移動自在にロータ３内に収容されるとともに、キープレート１の挿入によりロータ３内方に移動可能であり、
キープレート１挿入後、ロータ３を所定角度回転させた後にコード設定体２１との係止が解除されるように構成すると、キープレート１を挿入した後、所定角度回転させなければ錠側解錠コードが形成されないために、初期状態にあることを知らずに誤ってキープレート１を挿入して、錠側解錠コードを設定してしまうことがなくなる。
【００３７】
また、前記ストッパ２３が、キープレート１に形成された識別部５により作動するように構成すると、予め決定されたキープレート１によってのみ錠側解錠コードの設定が可能となるために、錠側解錠コードの形成に対する信頼性がより向上し、さらに、例えば識別部５を有しない作業用の暫定キープレート１を使用することにより、初期状態を維持したまま、ロータ３の回転操作を行うことができる。
【００３８】
【発明の実施の形態】
図１、２に自動車のドア錠として構成された実施の形態を示す。この実施の形態において、シリンダ錠は、シリンダケース４内にロータ３を回転自在に挿入して形成される。ロータ３の終端部にはレバー６がクリップ７により固定され、ロータ３を回転操作することにより、例えば、レバー６に連結されるロッドを経由して自動車のドア体内に収容されるドアロックを操作できる。また、ロータ３はシリンダケース４に係止されるリターンスプリング８により後述する初期回転位置に付勢される。
【００３９】
シリンダケース４の頭部はキー操作穴９ａを備えたカバー９により覆われており、キー操作穴９ａをロータ３の先端に装着されるシャッタ部１０により閉塞する。シャッタ部１０は中央にキー挿通孔１１ａを開設したシャッタカバー１１と、キー挿通孔１１ａを閉塞するためのシャッタプレート１２と、シャッタプレート１２およびシャッタカバー１１を前方に付勢するシャッタスプリング１３とを有し、部品境界部での隙間発生が防止される。
【００４０】
図４に示すように、ロータ３は長手方向に貫通するキー挿入溝３ａを備え、キー挿入溝３ａに沿って複数のタンブラ２、２・・をキープレート１の挿入軸線ｃ１に直交する面内の所定方向（主移動方向ＤＭ）に移動自在に保持するタンブラ溝３ｂが形成される。各タンブラ２は、ロックタンブラ１４とキー対応タンブラ１５に分割されており、図４に示すように、キープレート１の挿入軸線ｃ１方向に多数組を収容するために、後述するガイド突部２ａの形成面と反対面同士を接触させた状態の２対を１組としてロータ３に収容される。
【００４１】
ロックタンブラ１４は、図４に示すように、表裏いずれかの面にガイド突部２ａを備えており、ガイド突部２ａをロータ３側のガイド溝３ｃに嵌合させることにより、主移動方法（ＤＭ）への移動のみが許容される。また、ロックタンブラ１４の上端面には解錠許可切欠１４ａが形成される。
【００４２】
一方、キー対応タンブラ１５には、一側縁中央部を切り欠いてキープレート１の挿通凹部１５ａが形成され、挿通凹部１５ａの底壁にはキープレート１のコード形成溝（コード形成部１ａ）に嵌合可能な係合突起１５ｂが突設される。このキー対応タンブラ１５は表裏いずれかの面にガイド突部２ａを備えており、ガイド突部２ａがタンブラ保持ブロック１６のガイド溝１６ａに嵌合される。タンブラ保持ブロック１６はロータ内に主移動方向（ＤＭ）に直交する方向に移動自在に装着され、ガイド溝１６ａは主移動方向（ＤＭ）にキー対応タンブラ１５をガイドする。
【００４３】
これらキー対応タンブラ１５とロックタンブラ１４とは、１枚のタンブラプレートをキープレート１の板厚方向に分割した形状とされ、図５に示すように、分割面には、鋸歯状の噛合突起２ｂが所定ピッチで形成される。図８に示すように、キー対応タンブラ１５とロックタンブラ１４は、噛合突起２ｂの噛み合い位置を変更することができ、噛み合い位置を変更することにより、キー対応タンブラ１５の係合突起１５ｂと、ロックタンブラ１４の解錠許可切欠１４ａとの相対位置を変更できる。噛合突起２ｂのピッチは、キープレート１のコード形成溝１ａの種類に対応する。噛合突起２ｂは両側辺が傾斜辺により形成されており、傾斜辺同士を当接させる状態で噛合状態を維持し、該噛合状態においていずれかを側方に強制移動させた際には、一方が傾斜辺を乗り上げて一旦噛合を解除した後、隣接する他の噛合突起２ｂに噛合することができる。
【００４４】
また、ロータ３の上部にはサイドバー収容部３ｄが形成され、サイドバー（ロック体１７）が主移動方向（ＤＭ）に対して直交方向に移動自在に装着される。図２に示すように、サイドバー１７はロータ３のタンブラ２装着領域のほぼ全長に渡るキープレート１の挿通軸線ｃ１方向に長い部材であり、底面には長手通しにストッパ突条１７ａを備える。ストッパ突条１７ａはサイドバー収容部３ｄの開口からロックタンブラ１４の摺動領域まで侵入してロックタンブラ１４の解錠許可切欠１４ａに係合可能できる（図５（ａ）参照）。また、サイドバー１７とロータ３の間には板スプリング１８が介装され、サイドバー１７をロータ３からの飛び出し方向に付勢する。
【００４５】
さらに、シリンダ錠は、コード設定部１９と、後述するキープレート１の識別部５を検知し、コード設定部１９を駆動する検知部２０とを備える。コード設定部１９は、サイドバー１７、およびタンブラ保持ブロック１６に対峙してシリンダケース４側に配置されるコード設定体２１、２１’と、上記サイドバー１７に設けられるロック突部１７ｂ、およびタンブラ保持ブロック１６に形成される乗り上げ突部１６ｂとから構成される。各コード設定体２１、２１’は対向するサイドバー１７、あるいはタンブラ保持ブロック１６の突部１７ｂ、１６ｂが嵌合可能な凹部２１ａ、２１ａ’を備えてシリンダケース４に設けられた設定体収容部４ａに収容され、サイドバー１７側の凹部２１ａは設定体収容部４ａと共働してロック用凹部２５を構成する。設定体収容部４ａの開口端側側壁４ｃは、内周に行くに従って漸次幅方向寸法が大きくなる斜面により形成され、サイドバー１７、あるいはタンブラ保持ブロック１６がロータ３から飛び出して設定体収容部４ａ内に嵌合されていても、ロータ３に回転操作力を与えると、斜面からの分力によりロータ３内に没入し、シリンダケース４との間の回転境界面を開放することができる。また、図５に示すように、タンブラ保持ブロック１６の乗り上げ突部１６ｂの側壁１６ｃは該突部１６ｂが先端に行くに従って幅方向寸法が小さくなるような傾斜面とされ、サイドバー１７のロック突部１７ｂも先端に行くに従って傾斜面とされるためロータ３への回転操作力から効率よく没入方向の分力が得られるようにされる。
【００４６】
上記各コード設定体２１、２１’は設定体収容部４ａ内でキープレート１の挿入軸線ｃ１方向に移動自在であり、圧縮バネからなる作動スプリング２２により後方に付勢され、コード設定体２１、２１’の後端部に装着されるストッパピン（ストッパ２３）をロータ３の外周全周に形成されるストッパ溝３ｅに係止させて後方への移動が規制される。ストッパピン２３は圧縮スプリングからなるストッパスプリング２３ａによりロータ３側に付勢され、ストッパ溝３ｅの後方壁面は後述する検知タンブラ２の進退範囲を含む所定角度範囲で拡径されてストッパ壁３ｆとされる。
【００４７】
以上のように構成されるシリンダ錠は、シリンダ錠の組み立て作業完了時の状態（初期状態）と、後述する解錠コード設定状態の２種類の状態を維持することが可能であり、図４ないし６に示す初期状態において、各コード設定体２１、２１’はストッパピン２３により後方への移動が規制され、サイドバー１７のロック突部１７ｂはコード設定体２１の凹部２１ａ間に配置される押し込み突部２１ｂに乗り上げている。この状態で、図５（ａ）に示すように、サイドバー１７はロータ３からの突出が押さえ込まれてロータ３とシリンダケース４との回転境界面が開放され、さらに、サイドバー１７のストッパ突条１７ａはロックタンブラ１４の解錠許可切欠１４ａに係合してロックタンブラ１４の側方への移動を規制する。
【００４８】
また、初期状態において、タンブラ保持ブロック１６の乗り上げ突部１６ｂはコード設定体２１’の凹部２１ａ’に対峙しており、図５（ａ）に示すように、タンブラ保持ブロック１６は乗り上げ突部１６ｂをコード設定体２１’の凹部２１ａ’に嵌合することによりロータ３とシリンダケース４との回転境界面を越えてシリンダケース４側に移動することができる。タンブラ保持ブロック１６のロータ３からの飛び出し方向の移動寸法はキー対応タンブラ１５とロックタンブラ１４との噛合深さより大きく設定され、タンブラ保持ブロック１６の乗り上げ突部１６ｂがコード設定体２１’の凹部２１ａ’に嵌合すると、キー対応タンブラ１５はタンブラ保持ブロック１６に連動して噛合解除方向に移動し、ロックタンブラ１４との噛合を解除する。
【００４９】
任意の解錠コードを有するキープレート１をロータ３に挿入すると、まず、先頭に配置されたキー対応タンブラ１５の係合突起１５ｂがキープレート１のコード形成溝１ａに係合し、順次コード形成溝１ａの先端開放部が各キー対応タンブラ１５の係合突起１５ｂを拾うようにして該係合突起１５ｂをコード形成溝１ａ内に受容しながら所定深さまで挿入される。上述した初期状態において、キー対応タンブラ１５は解錠許可切欠１４ａがサイドバー１７のストッパ突条１７ａに係合して側方への移動が規制されるロックタンブラ１４に対して噛合解除状態にあるために、キープレート１のコード形成溝１ａを倣うようにして移動面を移動しながらキープレート１の通過を許容する。また、キー対応タンブラ１５がロックタンブラ１４に噛合している状態でも、キープレート１の挿入力によりキー対応タンブラ１５に側方への移動力が付与されると、移動を拘束されているロックタンブラ１４との接触部に発生する分力によりタンブラ保持ブロック１６はコード設定体２１’の凹部２１ａ’との嵌合方向に押しやられてキー対応タンブラ１５とロックタンブラ１４との噛合は解除されるために、キー対応タンブラ１５はロックタンブラ１４に対して独立に移動でき、キープレート１の挿入操作に支障はない。
【００５０】
また、上述したように初期状態ではサイドバー１７側の回転境界面は常に開放され、さらに、タンブラ保持ブロック１６はロータ３内方への移動が許容され、乗り上げ突部１６ｂがコード設定体２１’の凹部２１ａ’に嵌合して回転境界面を閉塞しても、ロータ３の回転操作によりロータ３内に没入して回転境界面を開放するために、キープレート１に形成された解錠コードがどのようなものであっても、常にロータ３を回転させることができる。
【００５１】
初期状態からコード設定状態への移行操作は、識別部５を備えたキープレート１をロータ３に挿入し、さらに、該キープレート１を使用してロータ３を回転させることにより行われる。この実施の形態において識別部５は、図３（ｂ）に示すように、キープレート１の先端の板厚を利用して形成され、ロータ３には検知部２０を構成する検知タンブラが配置される。図４に示すように、検知タンブラ２０は正面側端部にガイド斜面２０ａを備えて上記各コード設定体２１、２１’のストッパピン２３に対峙して設けられ、識別部５によりロータ３からの飛び出し方向に押し出されてストッパピン２３をストッパ溝３ｅとの係止解除方向に移動させる。
【００５２】
この後、ロータ３を回転させると、図７に示すように、タンブラ保持ブロック１６はシリンダケース４の内壁により強制的にロータ３内に没入させられ、ロータ３内の没入とともに、キー対応タンブラ１５はロックタンブラ１４に噛合する。この状態において、ロックタンブラ１４は解錠許可切欠１４ａがサイドバー１７のストッパ突条１７ａに嵌合し、さらに、各キー対応タンブラ１５は挿入されたキープレート１のコード形成溝１ａに係合してロータ３内の移動面内での所定位置まで移動しており、各タンブラ２は挿入されたキープレート１の解錠コードに１対１対応する錠側解錠コードを形成する。さらにロータ３を所定の回転角度（θ）まで回転させると、ストッパピン２３とストッパ壁３ｆとの係止が解除され、コード設定体２１、２１’は作動スプリング２２に押されて後方に移動する。図７、９に示すように、コード設定体２１、２１’の後端に設けられたストッパ切欠２１ｃ、２１ｃ’がシリンダケース４に設けたストッパ部４ｂに衝接する移動ストローク終端において、サイドバー１７のロック突部１７ｂはコード設定体２１の凹部２１ａに正対し、板スプリング１８の弾性復元力によりコード設定体２１の凹部２１ａ、すなわちロック用凹部２５に嵌合する。サイドバー１７がシリンダケース４側に移動することによって、図８（ａ）に示すように、ストッパ突条１７ａとロックタンブラ１４の解錠許可切欠１４ａの係合が解除され、ロックタンブラ１４の拘束が解除される。
【００５３】
また、コード設定体２１、２１’が後方に移動した状態で、各ストッパピン２３は図９（ａ）に示すように、ロータ３のクリック凹部３ｇに落ち込んでキープレート１の抜き差し位置までロータ３を回転させた際のクリック感を付与する。
【００５４】
一方、ロータ３の回転に伴うタンブラ保持ブロック１６側のコード設定体２１’の移動により、タンブラ保持ブロック１６の乗り上げ突部１６ｂはコード設定体２１’の凹部２１ａ’間に形成される押し込み突部２１ｂ’に乗り上げた状態となり、以後、タンブラ保持ブロック１６のロータ３からの飛び出し方向への移動を禁止してキー対応タンブラ１５とロックタンブラ１４との噛合状態を維持する。
【００５５】
これに対し、図３（ｃ）、（ｄ）に示すように、先端が面取りされていたり、あるいは図３（ｅ）、（ｆ）に示すように、検知タンブラ２０の設置位置まで届かない短寸のキープレート１を挿入しても、検知タンブラ２０は作動せず、シリンダ錠は初期状態から移行しない。また、ロータ３の回転操作をストッパピン２３がストッパ壁３ｆを越える前に停止して初期回転位置に復帰させた場合にも、コード設定体２１、２１’が後方に移動しないために初期状態から移行することがない。
【００５６】
解錠コード設定状態においてキープレート１を正規位置まで挿入すると、キー対応タンブラ１５はキープレート１のコード形成溝１ａにより移動面上を側方に所定位置まで移動し、キー対応タンブラ１５に噛合しているロックタンブラ１４もキー対応タンブラ１５に追随動して移動面を側方に移動する。キープレート１の解錠コードがタンブラ２により形成される錠側解錠コードに合致している際には、図８（ａ）に示すように、ロックタンブラ１４の解錠許可切欠１４ａはサイドバー１７のストッパ突条１７ａに正対する。この状態でロータ３に回転操作力を与えると、サイドバー１７は設定体収容部４ａの開口端側側壁４ｃからロータ３内方への分力を付与されるために、ストッパ突条１７ａがロックタンブラ１４の解錠許可切欠１４ａに嵌合しながらロータ３内に没入し、ロータ３の回転が許容される。
【００５７】
これに対し、真正キー以外のキープレート１が挿入された際には、キー対応タンブラ１５は予め設定された位置以外の位置まで移動するために、ロックタンブラ１４の解錠許可切欠１４ａとサイドバー１７のストッパ突条１７ａは正対することはなく、ロック用凹部２５に侵入してロータ３の回転境界面を閉塞しているサイドバー１７のロータ３内への没入はストッパ突条１７ａがロックタンブラ１４に干渉して禁止され、ロータ３を回転操作することができない。
【００５８】
さらに、この実施の形態は初期状態復帰手段２４を備える。初期状態復帰手段２４は、各コード設定体２１、２１’に設けられた孔状の被操作部２４ａと、シリンダケース４に開設されたアクセスホール２４ｂから構成される。アクセスホール２４ｂは、図４、図７に示すように、コード設定体２１、２１’の移動ストローク両端においてコード設定体２１、２１’の被操作部２４ａに臨むことができる程度のキープレート１の挿入軸線ｃ１方向に長い長孔からなる。
【００５９】
コード設定状態において、まず、ロータ３を回転させてストッパ壁３ｆにより閉鎖されているストッパピン２３の移動経路を開放し、次いで、アクセスホール２４ｂからピン状のジグによりコード設定体２１、２１’の被操作部２４ａを操作してコード設定体２１、２１’を前方に移動させ、さらに、ロータ３を初期回転位置に復帰させると、各コード設定体２１、２１’は初期位置に保持され、以後、シリンダ錠は初期状態に維持される。
【００６０】
なお、以上の説明において、キープレート１のコード形成部１ａはキープレート１の側面に溝状に形成されている場合を示したが、これに限られず、切断端面に切欠状に形成したものであってもよい。また、コード設定体２１、２１’はサイドバー１７とタンブラ保持ブロック１６に対応する２個が配置されているが、一体に形成することもでき、さらに、コード設定時の移動方向、すなわち、作動スプリング２２による付勢方向も逆に設定することができる。
【００６１】
加えて、上述した実施の形態において解錠コード設定を行うためには、識別部５を備えたキープレート１を使用する必要があるが、識別部５の有無に関わらず、ロータ３を回転させることにより挿入されたキープレート１の解錠コードに合致する錠側解錠コードを形成することもできる。このように構成するためには、例えば、上述した実施の形態において、キープレート１の挿入によりストッパピン２３のストッパ溝３ｅとの係止が解除されるように変更するだけで足り、ストッパピン２３はキープレート１の完全挿入を検出するための検出部として機能する。
【００６２】
図１０ないし１６に本発明の第２の実施の形態を示す。なお、この実施の形態、およびこの実施の形態以降の実施の形態の説明において、上述した実施の形態と実質的に同一の構成要素は、図中に同一符号を付して説明を省略する。
【００６３】
この実施の形態において、キープレート１の側面には、図１３（ａ）に示すように、切り込み深さの異なる複数のコード形成用切欠がロータ３内のタンブラ２の配置ピッチに一致したピッチで設けられてコード形成部１ａとされる。
【００６４】
ロックタンブラ１４は表面にガイド溝１４ｂを、側壁部に解錠許可切欠１４ａと噛合突起２ｂとを備え、ロータ３のタンブラ溝３ｂに挿入される。該ロックタンブラ１４を主移動方向（ＤＭ）にのみ移動自在に保持するために、ロータ３のタンブラ溝３ｂには、上記ガイド溝１４ｂに摺動自在に嵌合するガイド突条３ｈが設けられる。また、ロータ３の終端にはストッパ２３と検知部２０を兼ねるストッパタンブラ２８が装着される。ストッパタンブラ２８は中央部に細長矩形形状のキー挿通穴２８ａを有し、ストッパスプリング２３ａによりロータ３からの飛び出し方向に付勢される。
【００６５】
キー対応タンブラ１５には、中央部にキープレート１が挿通可能な細長矩形形状のキー挿通穴１５ｃが、その側方にスプリング収容孔１５ｄがそれぞれ開口される。また、キー対応タンブラ１５の側壁部にはロックタンブラ１４の噛合突起２ｂに噛合可能な噛合突起２ｂが設けられ、さらに、表面には長手通しにガイド溝１５ｅが設けられる。
【００６６】
２６はタンブラガイドブロックであり、主移動方向（ＤＭ）に対して直交方向に移動自在にロータ３に装着され、ブロック付勢スプリング２９によりロータ３からの飛び出し方向に付勢される。このタンブラガイドブロック２６には、上記ロータ３のタンブラ溝３ｂの形成ピッチに合致するピッチで複数のタンブラ保持溝２６ａ、２６ａ・・・が設けられる。このタンブラ保持溝２６ａの壁面には、上記キー対応タンブラ１５のガイド溝１５ｅに嵌合可能なガイド突条２６ｂが設けられ、ロータ３に装着された状態でキー対応タンブラ１５を主移動方向（ＤＭ）に摺動自在に保持する。
【００６７】
また、タンブラガイドブロック２６にはタンブラ保持溝２６ａに重合する位置に有底のスプリング保持孔２６ｃが設けられ、圧縮スプリングからなるタンブラスプリング２７が収納される。タンブラスプリング２７は上記キー対応タンブラ１５のスプリング収容孔１５ｄにはめ込まれる状態で一端がスプリング保持孔２６ｃの底壁に、他端がスプリング収容孔１５ｄの周壁に当接してキー対応タンブラ１５をロータ３外方に付勢する。上記スプリング保持孔２６ｃは、開放方向が交互に逆転するように形成され、結果、キー対応タンブラ１５は交互に逆方向に付勢される。
【００６８】
さらに、タンブラガイドブロック２６には、上述したタンブラ保持ブロック１６と同様に、先端に行くに従って幅狭となる乗り上げ突部２６ｄが形成される。
【００６９】
以上のようにしてタンブラガイドブロック２６、およびタンブラガイドブロック２６に対して対向位置に装着されるサイドバー１７を保持したロータ３は可動スリーブ（コード設定体２１）に挿入される。この可動スリーブ２１は筒状に形成されて、外周壁に形成されるガイド突部２１ｄをガイド凹部４ｄに嵌合させてシリンダケース４内に長手方向に摺動自在に収容される。シリンダケース４内には作動スプリング２２が挿入され、可動スリーブ２１を前方に付勢する。可動スリーブ２１には、長手方向適宜箇所に上記タンブラガイドブロック２６の乗り上げ突部２６ｄとサイドバー１７のロック突部１７ｂが嵌合可能な嵌合開口２１ｅが設けられ、ロック突部１７ｂに対応する嵌合開口２１ｅはロック用凹部２５を構成する。ロック突部１７ｂ、および乗り上げ突部２６ｄと嵌合開口２１ｅは、タンブラガイドブロック２６側、あるいはサイドバー１７側のいずれか一方が嵌合状態にある際には、他方が非嵌合状態となる位置関係に設定される。
【００７０】
したがってこの実施の形態において、初期状態では、図１１、１２に示すように、可動スリーブ２１は、該可動スリーブ２１側に形成されるストッパ壁３ｆをロータ３のストッパタンブラ２８に当接させることにより、後方位置に維持されるとともに、タンブラガイドブロック２６はブロック付勢スプリング２９によりロータ３外方に付勢されて、乗り上げ突部２６ｄが嵌合開口２１ｅに嵌合する。この状態でタンブラガイドブロック２６に保持されるキー対応タンブラ１５とロータ３側に保持されるロックタンブラ１４とは噛合解除状態に維持される（図１１（ｂ）参照）。一方、サイドバー１７側のロック突部１７ｂは嵌合開口２１ｅに対応することなく可動スリーブ２１の内周壁に当接してロータ３内方に押し込まれており、この状態で、サイドバー１７のストッパ突条１７ａはロックタンブラ１４の解錠許可切欠１４ａに嵌合してロックタンブラ１４の移動を規制する。
【００７１】
キー対応タンブラ１５のキー挿通穴１５ｃは図示の状態、すなわち、キープレート１の挿入軸線ｃ１に対して乗り上げ突部２６ｄの嵌合代だけずれた位置においてもキープレート１を挿入可能な幅寸法（ｗ）を有しており、上述した実施の形態と同様にキープレート１に形成されたコード形成部１ａの種類にかかわらず、ロータ３に回転操作を与えることができる。
【００７２】
この実施の形態において、図１３（ａ）に示すように、キープレート１終端に形成された導入斜面が識別部５として使用される。識別部５を有したキープレート１をロータ３に挿入すると、各キー対応タンブラ１５はキープレート１のコード形成切欠１ａの切り込み深さに対応する位置まで移動し、タンブラスプリング２７の復元力により当該位置を維持する。また、キープレート１を挿入ストローク終端まで挿入することにより、ストッパタンブラ２８は図１４（ａ）に示す状態から、キー挿入穴２８ａの周壁がキープレート１の導入斜面５により押しつけられてロータ３内に移動し、可動スリーブ２１のストッパ壁３ｆとの係止寸法を減少させる。
【００７３】
次いで、キープレート１によりロータ３を回転させると、タンブラガイドブロック２６の乗り上げ突部２６ｄは嵌合開口２１ｅから脱離して可動スリーブ２１の内周壁面に押され、タンブラガイドブロック２６、およびキー対応タンブラ１５はロータ３中央側に移動し、キー対応タンブラ１５はロックタンブラ１４に噛み合って、ロックタンブラ１４とキー対応タンブラ１５は一体として作動する。
【００７４】
一方、上記ストッパ壁３ｆとストッパタンブラ２８との係止状態は、ロータ３、すなわち、ストッパタンブラ２８が所定角度回転するまで維持され、その後、図１４（ｂ）に示すように、係止が解除する。ストッパタンブラ２８との係止解除により支えを失った可動スリーブ２１は、作動スプリング２２の復元力によって前方方向のストローク終端位置まで移動する。
【００７５】
次いで、キープレート１によりロータ３を原位置まで回転させると、前方ストローク終端位置に移動したサイドバー１７のロック突部１７ｂは可動スリーブ２１の嵌合開口２１ｅに対峙し、図１５（ｂ）に示すように、ロック突部１７ｂは可動スリーブ２１の嵌合開口２１ｅに嵌合する。この状態でサイドバー１７のストッパ突条１７ａとロックタンブラ１４の解錠許可切欠１４ａとの嵌合状態が解除されるために、ロックタンブラ１４の移動が可能になり、以降、ロックタンブラ１４は噛合突起２ｂを介して一体化されたキー対応タンブラ１５とともに移動可能になる。この後、キープレート１をロータ３から抜去すると、サイドバー１７のロック突部１７ｂが嵌合開口２１ｅに対応する位置においてはタンブラガイドブロック２６の乗り上げ突部２６ｄは可動スリーブ２１の内周壁に対応してキー対応タンブラ１５の噛合解除方向への移動が禁止されるために、各キー対応タンブラ１５はキープレート１のコード形成切欠１ａに対応した位置でロックタンブラ１４に噛合解除不能に噛合し、以降、一体として動作する。
【００７６】
この後、異種の解錠コードを有するキープレート１を挿入した場合には、切り込み深さが異なるコード形成切欠１ａに対応するキー対応タンブラ１５はロックタンブラ１４とともに、ロータ３内での位置が所定位置からずれるために、ロックタンブラ１４の解錠許可切欠１４ａは、サイドバー１７のストッパ突条１７ａとの対峙位置から移動し、結果、サイドバー１７のロータ３内への退避が不能となるために、ロータ３への回転操作が禁止される。
【００７７】
一方、図１３（ｂ）に示すような識別部５を有しないキープレート１を初期状態にあるロータ３に挿入しても、ストッパタンブラ２８がロータ３内方に移動しないために、可動スリーブ２１が前方に移動することはなく、そのまま初期状態が維持される。
【００７８】
また、この実施の形態においても、真正のキープレート１によって、ストッパタンブラ２８が可動スリーブ２１のストッパ壁３ｆとの干渉が生じない位置までロータ３を回転させた後、適宜の治具を使用して可動スリーブ２１を後方ストローク終端まで移動させることにより、一旦設定したコードを初期状態に復帰させることができる。
【００７９】
図１７ないし２０に本発明の第３の実施の形態を示す。この実施の形態において、キー対応タンブラ１５はコ字状の挿通凹部１５ａを備え、タンブラスプリング２７によりロータ３からの飛び出し方向に付勢されてロータ３内に移動自在に収容される。また、ロータ３に装着されるロックタンブラ１４は対向する一対の傾斜辺１４ｃ、１４ｃを備えるＶノッチ状の解錠許可切欠１４ａを備え、主移動方向（ＤＭ）に直交する方向にガイドされる。
【００８０】
一方、サイドバー１７は一端縁に上記解錠許可切欠１４ａの傾斜辺１４ｃに嵌合可能なＶ次状のストッパ突条１７ａを有する。このサイドバー１７はシリンダケース４の長手方向に移動可能なコード設定体２１に保持され、主移動方向（ＤＭ）に直交する方向に移動自在とされる。サイドバー１７とコード設定体２１との間には、圧縮スプリングからなるサイドバー駆動スプリング３０が介装され、サイドバー１７をロータ３中央方向に付勢する。サイドバー１７のロータ３内への突出寸法を規制するためにサイドバー１７とコード設定体２１にはサイドバーストッパ３１が設けられ、サイドバー１７のロータ３からの飛び出し方向への移動を許容するために、シリンダケース４の内周壁にはロック用凹部２５が設けられる。
【００８１】
コード設定体２１は、主移動方向（ＤＭ）とこれに直交する方向に移動自在であり、ロータ３とコード設定体２１との間に介装される作動スプリング２２によりロータ３長手方向、後方に向けて付勢される。また、コード設定体２１の外周壁面には、シリンダケース４の内周壁に形成される嵌合凹部４ｅの嵌合可能な乗り上げ突部２１ｆが設けられる。
【００８２】
この実施の形態において、初期状態では図１８（ａ）に示すように、コード設定体２１はロータ３の終端に設けられるストッパ２３と検知部２０を兼用するストッパプレート３２に終端が係止して前方位置を維持している。この状態でサイドバー１７はサイドバー駆動スプリング３０によりロータ３内方に押し付けられ、図１７（ａ）に示すように、ストッパ突条１７ａが解錠許可切欠１４ａに嵌合したロックタンブラ１４をキー対応タンブラ１５側に付勢してロックタンブラ１４とキー対応タンブラ１５を噛合させる。同時に、上記サイドバー駆動スプリング３０はコード設定体２１をロータ３外方に付勢し、コード設定体２１の乗り上げ突部２１ｆを初期状態において対峙するシリンダケース４側の嵌合凹部４ｅ内に嵌合する。
【００８３】
また、ロックタンブラ１４は、コード設定体２１がシリンダケース４側に飛び出しているために、キー対応タンブラ１５との噛合解除方向に移動可能であり、例えば図１３（ｂ）に示すように、識別部５を備えない任意のキープレート１を挿入すると、各キー対応タンブラ１５はロックタンブラ１４との噛み合い位置を変更しながらキープレート１のコード形成切欠１ａの切り込み深さに応じたロータ３内の位置に移動する。一方、コード設定体２１は、サイドバー駆動スプリング３０の付勢力に抗した操作力が与えられると、ロータ３内方に移動することができ、キープレート１を挿入した状態において、ロータ３に回転操作力を与えると、コード設定体２１はシリンダケース４の嵌合凹部４ｅに設けた斜面４ｆによりロータ３内方への押圧力を受けてロータ３内方に没入するために、キープレート１の解錠コードに影響を受けることなく回転操作を行うことができる。
【００８４】
これに対し、識別部５を備えたキープレート１を挿入すると、まず、識別部５によりロータ３のストッパプレート３２がストッパスプリング２３ａの反力に抗してロータ３内方に移動し、コード設定体２１との係止寸法が減少し、この後、ロータ３を所定角度回転させると、ストッパプレート３２とコード設定体２１との係止が完全に解除される（図２０参照）。図１９に示すように、ストッパプレート３２との係止解除により、コード設定体２１は作動スプリング２２の作用により後方に移動する。コード設定体２１の移動によりコード設定体２１の乗り上げ突部２１ｆとシリンダケース４の嵌合凹部４ｅとの対応関係は崩れ、コード設定体２１の乗り上げ突部２１ｆはシリンダケース４の内周壁に乗り上げてロータ３内方側の位置に維持される。サイドバー駆動スプリング３０の復元力により乗り上げ突部２１ｆの移動が円滑になされるように、乗り上げ突部２１ｆ、および嵌合凹部４ｅのコード設定体２１の移動方向の壁面は斜面にされる。
【００８５】
コード設定体２１のロータ３内方への移動により、ロックタンブラ１４はキー対応タンブラ１５との噛合解除方向への移動が規制され、以後、ロックタンブラ１４はキー対応タンブラ１５の動作に追随する動作のみが許容される。
【００８６】
次いで、ロータ３を原位置に復帰させてキープレート１を抜去すると、図１７（ｂ）、および図１８（ｂ）に示すように、コード設定が完了する。この状態で異種キープレート１を挿入した場合には、キー対応タンブラ１５の位置がコード設定時の位置と異なるために、サイドバー１７はロックタンブラ１４の傾斜辺１４ｃによりロータ３外方に押し出される。この結果、サイドバー１７の一端はシリンダケース４のロック用凹部２５に嵌合して、ロータ３の回転境界面を閉塞し、ロータ３への回転操作が禁止される。一方、コード設定時のキープレート１を挿入した場合には、サイドバー１７がロータ３内に収容されてロータ３の回転境界面を開放し、ロータ３への回転操作が許容される。
【００８７】
【発明の効果】
以上の説明から明らかなように、本発明によれば、解錠コードの設定がシリンダ錠組み立て完了後の好みの時に行うことができ、しかも、解錠コード設定前においては、ロータへの回転操作が可能なために、自動車の組み立て作業性等の向上を図ることができる。さらに、シリンダ錠の製造に際しては、同一のタンブラ構成を有するものを複数製造することができるために、製造効率も向上する。
【図面の簡単な説明】
【図１】本発明を示す分解斜視図である。
【図２】図１の要部拡大図である。
【図３】キープレートを示す図である。
【図４】初期状態のシリンダ錠の断面図である。
【図５】図４の断面図で、（ａ）は図４の５Ａ-５Ａ線断面図、（ｂ）は図４の５Ｂ-５Ｂ線断面図である。
【図６】解錠コード設定用のキープレートを挿入した状態を示す断面図で、（ａ）は図５（ａ）に対応する図、（ｂ）は図５（ｂ）に対応する図である。
【図７】図６からキープレートを回転させた状態を示す断面図で、（ａ）は図４に対応する図、（ｂ）は図６（ａ）に対応する図、（ｃ）は図６（ｂ）に対応する図である。
【図８】解錠コード設定完了状態を示す図で、（ａ）は図５（ａ）に対応する図、（ｂ）は図５（ｂ）に対応する図である。
【図９】解錠コード設定完了状態を示す図で、（ａ）は図４に対応する図、（ｂ）は図９（ａ）の９Ｂ-９Ｂ線断面図である。
【図１０】本発明の第２の実施の形態を示す分解斜視図である。
【図１１】初期状態を示す図で、（ａ）は縦断面図、（ｂ）は（ａ）の１１Ｂ-１１Ｂ線断面図である。
【図１２】図１１（ａ）の１２Ａ-１２Ａ線断面図である。
【図１３】キープレートを示す図で、（ａ）は識別部を有するキープレートを示す平面図、（ｂ）は識別部のないキープレートを示す平面図である。
【図１４】検知部の動作を示す図で、（ａ）は初期状態における図１１（ａ）の１４Ａ-１４Ａ断面図、（ｂ）は検知部が作動した状態における図１１（ａ）の１４Ａ-１４Ａ断面図である。
【図１５】錠側解錠コード形成後の断面図で、（ａ）は縦断面図、（ｂ）は（ａ）の１５Ｂ-１５Ｂ線断面図である。
【図１６】図１５（ａ）の１６Ａ-１６Ａ線断面図である。
【図１７】本発明の第３の実施の形態を示す図で、（ａ）は初期状態における断面図、（ｂ）は錠側解錠コード形成後の断面図である。
【図１８】図１７の断面図で、（ａ）は図１７（ａ）の１８Ａ-１８Ａ線断面図、（ｂ）は図１７（ｂ）の１８Ｂ-１８Ｂ線断面図である。
【図１９】検知部が作動した状態の縦断面図である。
【図２０】図１９の２０Ａ-２０Ａ線断面図である。
【符号の説明】
１        キープレート
１ａ      コード形成部
２        タンブラ
３        ロータ
４        シリンダケース
５        識別部
１４ロックタンブラ
１５キー対応タンブラ
２０      検知部
２１      コード設定体
２２作動スプリング
２３ストッパ
２５      ロック用凹部
２６      タンブラガイドブロック
２７      タンブラスプリング
ＤＭ      主移動方向
【図１】
0003709146.tif 000002
【図２】
0003709146.tif 000003
【図３】
0003709146.tif 000004
【図４】
0003709146.tif 000005
【図５】
0003709146.tif 000006
【図６】
0003709146.tif 000007
【図７】
0003709146.tif 000008
【図８】
0003709146.tif 000009
【図９】
0003709146.tif 000010
【図１０】
0003709146.tif 000011
【図１１】
0003709146.tif 000012
【図１２】
0003709146.tif 000013
【図１３】
0003709146.tif 000014
【図１４】
0003709146.tif 000015
【図１５】
0003709146.tif 000016
【図１６】
0003709146.tif 000017
【図１７】
0003709146.tif 000018
【図１８】
0003709146.tif 000019
【図１９】
0003709146.tif 000020
【図２０】
0003709146.tif 000021